(57)【特許請求の範囲】
【請求項１】
利用者の操作を誘導する画面を表示する操作表示部と音声メッセージを発する音声応答部の両方と、
複数の選択項目を含む選択肢の選択肢識別情報毎に、前記選択肢の内容、前記選択項目の個数、及び前記選択項目の個数の提示法を有する選択肢情報を保持する記憶部と、
前記選択肢を前記利用者に提示する時に、前記選択肢識別情報を基に前記記憶部から前記選択肢情報を取り出し、前記選択項目の個数と前記選択肢の内容すべてを前記操作表示部により一覧表示、及び／又は前記音声応答部により前記選択項目の個数の読み上げを、前記選択肢の内容の読み上げの前に行わせる制御手段と、
を備えた情報入出力装置において、
前記選択項目の個数が前記情報入出力装置の動作時に付与されていない場合に、前記選択肢の内容を分析して前記選択項目の個数を計算する選択項目数計算部を設けたことを特徴とする情報入出力装置。
【請求項２】
請求項１記載の情報入出力装置において、
前記選択項目数計算部では、
前記選択肢情報を前記記憶部に登録するときに前記選択項目の個数を計算して前記記憶部に登録するか、
前記選択肢識別情報を基に前記記憶部から前記選択肢情報を取り出すときに前記選択肢の内容を分析し前記選択項目の個数を計算して前記記憶部に登録するか、
又は、任意のときに前記選択肢の内容を分析し前記選択項目の個数を計算して前記記憶部に登録することを特徴とする情報入出力装置。
【発明の詳細な説明】
【技術分野】
【０００１】
本発明は、利用者による情報の入力や情報の出力を行う情報入出力装置、特に、画面或いは音声により操作情報を利用者に提示する際に、操作情報の選択肢の個数を利用者に提示することができる情報入出力装置に関するものである。
【背景技術】
【０００２】
従来、コンピュータを用いた情報入出力装置は、例えば、特許文献１に記載された現金自動取引機等の種々の装置に搭載されている。
【０００３】
【特許文献１】特開平６−５２３９８号公報
【０００４】
特許文献１に記載された現金自動取引機は、銀行等の金融機関で使用され、目に障害を持つ利用者であっても容易に使用できるように工夫したものである。
【０００５】
この現金自動取引機では、利用者からの指示情報に基づき現金取引に関する処理を上位装置と連携を取りながら実行する取引機本体に対し、情報入出力装置を介して、音声を利用者に伝えるスピーカ部と、ダイアルボタンを用いて入力を行うための電話機とが接続されている。情報入出力装置は、取引機本体からの指示に基づき、音声データを合成して音声信号を電話機に出力すると共に、利用者が押したダイアルボタンの情報を検出し、この検出情報を取引機本体に伝える。電話機は、通常の電話機と同様のダイアルボタン配列を有するので、目に障害があっても容易に入力操作が行えるようになっている。
【発明の開示】
【発明が解決しようとする課題】
【０００６】
従来の特許文献１に記載された情報入出力装置では、次の（１）、（２）のような課題があった。
【０００７】
（１）  選択肢を画面上に表示して選択を行わせる方式を採用しているが、画面上にいくつの項目からなる選択肢を表示しているのかを音声や文字で利用者に知らせる構造になっていない。そのため、選択肢がボタンらしく見えないボタンとして提示されていると、どれが押せるボタンであるのか判断できなかった。これは特に、音声メッセージを聞くことができない聴覚障害者にとって、大きな問題となり、不利不便であった。
【０００８】
（２）  選択肢を読み上げてスピーカ部から利用者に知らせる方式を採用しているが、選択項目がいくつあるのかを利用者に知らせる構造になっていない。そのため、選択肢が非常に多い場合でも多いことを知ることができないので、所望の選択に近い選択肢が出てきたら選択してみるといった柔軟な選択が行えず、所望の選択肢に合致するものを聞くまで、選択肢の読み上げを長時間聞くことになってしまっていた。これは特に、視覚情報にアクセスできずに読み上げにのみ頼る結果、長い読み上げを聞くことになる視覚障害者にとって大きな問題となり、不利不便であった。
【課題を解決するための手段】
【０００９】
前記課題を解決するために、本発明のうちの請求項１に係る発明は、利用者の操作を誘導する画面を表示する操作表示部と音声メッセージを発する音声応答部の両方と、複数の選択項目を含む選択肢の選択肢識別情報毎に、前記選択肢の内容、前記選択項目の個数、及び前記選択項目の個数の提示法を有する選択肢情報を保持する記憶部と、前記選択肢を前記利用者に提示する時に、前記選択肢識別情報を基に前記記憶部から前記選択肢情報を取り出し、前記選択項目の個数と前記選択肢の内容すべてを前記操作表示部により一覧表示、及び／又は前記音声応答部により前記選択項目の個数の読み上げを、前記選択肢の内容の読み上げの前に行わせる制御手段と、を備えた情報入出力装置において、前記選択項目の個数が前記情報入出力装置の動作時に付与されていない場合に、前記選択肢の内容を分析して前記選択項目の個数を計算する選択項目数計算部を設けたことを特徴とする。
請求項２に係る発明は、請求項１に係る発明の情報入出力装置において、前記選択項目数計算部では、前記選択肢情報を前記記憶部に登録するときに前記選択項目の個数を計算して前記記憶部に登録するか、前記選択肢識別情報を基に前記記憶部から前記選択肢情報を取り出すときに前記選択肢の内容を分析し前記選択項目の個数を計算して前記記憶部に登録するか、又は、任意のときに前記選択肢の内容を分析し前記選択項目の個数を計算して前記記憶部に登録することを特徴とする。
【発明の効果】
【００１０】
本発明によれば、次の（ａ）、（ｂ）のような効果がある。
（ａ）  前記課題（１）に対応して、選択肢の内容すべてを画面上に一覧表示して選択を行わせる構造の場合、選択肢がボタンらしく見えないボタンとして提示されていても、選択項目の数が表示されるために、それと表示されているボタンの総数を比較して、一致すれば、数えたボタンらしきものがボタンであると言うことが分かる。音声メッセージを聞くことができない聴覚障害者にとって、音声指示が聞こえなくても、どれがボタンであるのかについて、推測がつくことも利点である。この方式を取らない場合は画面の作り直しが必要とされるが、本発明の装置は個数表示を加えることで画面の作り直しをしなくてもよく、開発の手間やコストを考えても効果がある。
【００１１】
（ｂ）  前記課題（１）に対応して、選択肢を読み上げて利用者に知らせるような構造の場合、選択肢が非常に多い場合でも、選択肢を読み上げる前に選択項目の数が読み上げられるために、所望の選択に近い選択肢が出てきたら選択してみるといった柔軟な選択が行え、選択肢の読み上げを長時間聞くことを避けたい場合に効果がある。これは特に、視覚情報にアクセスできずに読み上げにのみ頼る結果、長い読み上げを聞きがちになる視覚障害者にとって有用である。
【発明を実施するための最良の形態】
【００１２】
本発明を実施するための最良の形態の情報入出力装置は、利用者の操作を誘導する画面を表示する操作表示部と音声メッセージを発する音声応答部のいずれか一方又は両方と、記憶部と、制御手段とを備えている。
【００１３】
前記記憶部は、複数の選択項目を含む選択肢の選択肢識別情報毎に、前記選択肢の内容、前記選択項目の個数、及び前記選択項目の個数の提示法を有する選択肢情報を保持する。そして、前記制御手段により、前記選択肢を前記利用者に提示する時に、前記選択肢識別情報を基に前記記憶部から前記選択肢情報を取り出し、前記選択項目の個数と前記選択肢の内容を前記操作表示部により表示したり、或いは前記音声応答部により読み上げたりする。
【実施例１】
【００１４】
（実施例１の構成）
図１（１）、（２）は、本発明の実施例１における情報入出力装置の概略の構成を示すブロック図であり、同図（１）は情報入出力装置の全体構成図、及び同図（２）は情報入出力装置中の記憶部の構成図である。
【００１５】
図１（１）に示す情報入出力装置１は、主プログラムに従って装置全体を制御する制御手段（例えば、中央処理装置（ＣＰＵ）を含む主演算部）２を有している。主演算部２には、これによりアクセス（読み書き）される情報格納用の記憶部３と、主演算部２で処理された情報を出力する出力部６と、キーボード等の入力部９とが接続されている。記憶部３中には、主プログラムを格納する主プログラム部４、及び選択肢情報を格納する選択肢情報部５が設けられている。出力部６には、画面上に情報の表示出力を行う操作表示部７、及びスピーカ等の音声出力を行う音声応答部８が設けられている。
【００１６】
図１（２）に示す記憶部３中には、主プログラム部４及び選択肢情報部５が設けられている。主プログラム部４には、主プログラム４０が格納されている。又、選択肢情報部５は、テーブルとして構成されており、主プログラム４０中に含まれる選択肢すべてが、選択肢情報５０（５０−１，・・・）という形式で格納されている。
【００１７】
各選択肢情報５０（５０−１，・・・）は、選択肢識別情報５１、選択肢の内容５２、選択項目の個数５３、及び個数提示５４で構成されている。選択肢識別情報５１は、各選択肢を唯一に識別できる情報である。選択肢の内容５２は、選択項目の個数分の、選択項目の内容５２ａ、その表示法５２ｂ、その読み上げ法５２ｃからなる。選択項目の個数５３は、選択肢を構成する選択項目の個数である。個数提示５４は、選択肢の個数の表示法５４ａ、その表示内容５４ｂ、及び個数の読み上げ法５４ｃからなる。選択肢が表示されずに読み上げだけされる場合は、表示法５４ａと表示内容５４ｃは空欄となる。
【００１８】
（実施例１の動作）
図２は、図１の情報入出力装置１における情報処理の内容を示すフローチャートである。
【００１９】
情報処理が開始されると、主演算部２は、主プログラム部４に格納されている主プログラム４０を実行する過程で、選択肢が有るか否かを判定する（ステップＳ１）。主演算部２は、選択肢が出てきた場合、主プログラム４０に記述されている選択肢識別情報５１を元に、選択肢情報部５から選択肢識別情報５１が一致する選択肢情報５０を取り出す（ステップＳ２）。そして、主演算部２は、下記のように、選択肢を表示したり読み上げたりする提示処理（ステップＳ１０）を行った後、選択項目の個数５３を表示したり読み上げたりする個数の提示処理（ステップＳ２０）を行う。
【００２０】
即ち、選択肢の提示処理（ステップＳ１０）において、主演算部２は、表示法５２ｂの記述が有るか否かを判定し（ステップＳ１１−１）、記載有りの場合には、取り出された選択肢情報５０の選択肢の内容５２に記載されているすべての選択項目５２ａを、表示法５２ｂに従って操作表示部７に出力し、画面に表示する（ステップＳ１２−１）。表示法５２ｂの記載が無い場合は、選択項目５２ａが表示されずに、次の個数の提示処理（ステップＳ２０）へ進む。
【００２１】
又、主演算部２は、読み上げ法５２ｃの記述が有るか否かを判定する（ステップＳ１１−２）。記載有りの場合には、それが音声応答部８に送られて、読み上げられる（ステップＳ１２−２）。読み上げ法５２ｃの記載が無い場合は、選択項目５２ａが読み上げられずに、次の個数の提示処理（ステップＳ２０）へ進む。
【００２２】
なお、選択項目５２ａの表示処理（ステップＳ１１−１，Ｓ１２−１）と、選択項目５２ａの読み上げ処理（ステップＳ１１−２，Ｓ１２−２）とは、同時に処理してもよく、或いは、いずれか一方を先に処理していずれか他方を後に処理してもよい。
【００２３】
次に、個数の提示処理（ステップＳ２０）において、主演算部２は、表示法５４ａの記述が有るか否かを判定する（ステップＳ２１−１）。記載有りの場合、選択項目の個数５３は、個数提示５４に記載されている表示法５４ａと表示内容５４ｂに従って操作表示部７に出力され、画面に表示される。表示法５４ａの記載が無い場合は、選択項目の個数５４が表示されずに情報処理が終了する。
又、主演算部２は、読み上げ法５４ｃの記述が有るか否かを判定する（ステップＳ２１−２）。読み上げ法５４ｃに記載がある場合は、それが音声応答部８に送られて、読み上げられる。読み上げ法５４ｃの記載が無い場合は、選択項目の個数５３が読み上げられずに情報処理が終了する。
【００２４】
なお、選択項目の個数５３の表示処理（ステップＳ２１−１，Ｓ２２−１）と、選択項目の個数５３の読み上げ処理（ステップＳ２１−２，Ｓ２２−２）とは、同時に処理してもよく、或いは、いずれか一方を先に処理していずれか他方を後に処理してもよい。
【００２５】
図３は、図１中の選択肢情報５０の内容の一例を示す図である。図４は、その図３の場合の操作表示部７の画面表示の一例を示す図である。
【００２６】
図３の箇所５２−１の選択項目１は、図４の画面において位置Ｘ１，Ｙ１に２０ポイント（ｐｔ）の大きさの字体で表示され（５２ａ−１）、図３の箇所５２−２の選択項目６は、図４の画面の箇所５２ａ−６において位置Ｘ２，Ｙ２に２０ポイント（ｐｔ）の大きさの字体で表示され、他の選択項目２〜５も指定の通りに表示される。選択項目１〜６は、図３の箇所５２−１や箇所５２−２の記載の通り、図４の画面ではそれぞれ選択項目の名前で読み上げられる。
【００２７】
図３の選択項目の個数５３（６個）は、箇所５４−１に従って図４の画面の位置Ｘａ，Ｙａに２０ポイントの大きさで、箇所５４−２に従って図４の箇所７ａに「６個のボタンが表示されています」と表示される。そして、図３の箇所５４−３に従って「６個のボタンが表示されています」と図４で読み上げられる。
【００２８】
（実施例１の効果）
本実施例１によれば、次の（ａ）、（ｂ）のような効果がある。
【００２９】
（ａ）  選択肢の内容すべてを操作表示部７の画面上に一覧表示して選択を行わせる場合、選択肢がボタンらしく見えないボタンとして提示されていても、選択項目の個数５４が表示されるために、それと表示されているボタンの総数を比較して、一致すれば、数えたボタンらしきものがボタンであると言うことが分かる。音声応答部８からの音声メッセージを聞くことができない聴覚障害者にとって、音声指示が聞こえなくても、どれがボタンであるのかについて推測がつく。本実施例１のような提示方法を取らない従来装置の場合は、画面の作り直しが必要とされるが、本実施例１の情報入出力装置では、個数表示を加えているので、画面の作り直しをしなくてもよく、開発の手間やコストを考えても効果がある。
【００３０】
（ｂ）  音声応答部８により選択肢を読み上げて利用者に知らせるような場合、選択肢が非常に多い場合でも、選択肢を読み上げる前に選択項目の個数５３が読み上げられるために、所望の選択に近い選択肢が出てきたら選択してみるといった柔軟な選択が行え、選択肢の読み上げを長時間聞くことを避けたい場合に効果がある。これは特に、視覚情報にアクセスできずに読み上げにのみ頼る結果、長い読み上げを聞きがちになる視覚障害者にとって有用である。
【実施例２】
【００３１】
（実施例２の構成）
図５は、本発明の実施例２における情報入出力装置の概略の構成を示すブロック図であり、実施例１を示す図１（１）中の要素と共通の要素には共通の符号が付されている。
【００３２】
本実施例２の情報入出力装置１Ａでは、実施例１の情報入出力装置１内に、選択項目数計算部１０を追加している点のみが異なる。選択項目数計算部１０は主演算部２により制御され、選択肢の内容５２の項目数を計算して、それを選択項目の個数５３に登録するものである。
【００３３】
（実施例２の動作・効果）
図２のフローチャートにおいて、実施例２の追加処理（ステップＳ３０）が破線により示されている。情報処理の基本的な動作は実施例１と同様であるが、本実施例２の追加処理（ステップＳ３０）では、図１（２）の各選択肢情報５０（５０−１，・・・）における選択肢の内容５２の項目数を数えて、それをそれぞれの選択項目の個数５３に登録する。この計算と登録は、選択肢情報５０を選択肢情報部５に登録するときに行うか、選択肢識別情報５１を基に選択肢情報部５から選択肢情報５０を取り出すときに行うか、或いは、任意のときに空欄となっている選択項目の個数５３を検索し、もしも空欄があったならば行うか、のいずれかである。これにより、選択項目の個数５３の計算及び登録の処理を自動的に行うことができ、情報処理の簡易化が可能になる。
【００３４】
なお、本発明は、上記実施例１、２に限定されず、種々の変形が可能である。この変形例としては、例えば、次の（Ａ）、（Ｂ）、（Ｃ）のようなものがある。
【００３５】
（Ａ）  実施例１、２では、選択項目５２ａの読み上げ（ステップＳ１２−２）の後に、選択項目の個数５３の読み上げ（ステップＳ２２−２）を行う構成にしたが、この処理を逆にしてもよい。この場合は、個数提示の読み上げ法５４ｃや、選択肢の内容５２の読み上げ法５２ｃでそれらの順序を指定すればよい。
【００３６】
（Ｂ）  情報入出力装置１，１Ａの構成や、情報処理の内容、順序等は、図示以外のものに変更することが可能である。例えば、操作表示部７又は音声応答部８のいずれか一方を設けて、選択項目の個数５３や選択肢の内容５２を表示したり、或いは、読み上げたりする構成にしても、従来に比べて効果がある。
【００３７】
（Ｃ）  図３の箇所５４−２，５４−３において、選択項目の個数の部分を変数として記述し、個数５３を変数に代入して表示したり、読み上げたりしてもよい。例えば、箇所５４−２を「表示内容；“Ｘ”個のボタンが表示されています」として、変数“Ｘ”の部分に箇所５３−１の個数を代入して表示したり、読み上げたりしてもよい。
【産業上の利用可能性】
【００３８】
本発明の情報入出力装置は、現金自動取引機等の種々の装置に利用が可能である。
【図面の簡単な説明】
【００３９】
【図１】本発明の実施例１における情報入出力装置の概略の構成を示すブロック図である。
【図２】図１の情報入出力装置における情報処理の内容を示すフローチャートである。
【図３】図１中の選択肢情報の内容の一例を示す図である。
【図４】図３の場合の操作表示部の画面表示の一例を示す図である。
【図５】本発明の実施例２における情報入出力装置の概略の構成を示すブロック図である。
【符号の説明】
【００４０】
１，１Ａ    情報入出力装置
２    主演算部
３    記憶部
４    主プログラム
５    選択肢情報部
６    出力部
７    操作表示部
８    音声応答部
９    入力部
１０    選択項目数計算部
【図１】
0004604886.tif 000002
【図２】
0004604886.tif 000003
【図３】
0004604886.tif 000004
【図４】
0004604886.tif 000005
【図５】
0004604886.tif 000006